【手続補正書】
【提出日】平成26年3月24日(2014.3.24)
【手続補正１】
【補正対象書類名】明細書
【補正対象項目名】発明の名称
【補正方法】変更
【補正の内容】
【発明の名称】レンズ装置システム及びそれを含む撮像システム
【手続補正２】
【補正対象書類名】明細書
【補正対象項目名】００１０
【補正方法】変更
【補正の内容】
【００１０】
上記目的を達成するために、複数のレンズ装置を含むレンズ装置システムであって、該複数のレンズ装置それぞれは、前記複数のレンズ装置の中の別のレンズ装置を含む複数の制御元、からの制御指令に従って駆動可能な少なくとも１つの光学部材と、前記他のレンズ装置と通信する通信手段と、前記複数のレンズ装置の前記少なくとも１つの光学部材それぞれを、マスター駆動状態又はスレーブ駆動状態に設定する、駆動状態設定手段と、前記複数のレンズ装置の前記少なくとも１つの光学部材それぞれに設定されている駆動状態を判別する駆動状態判別手段と、前記複数のレンズ装置の前記少なくとも１つの光学部材それぞれの駆動状態ごとに、複数の制御元からの制御指令のうち優先順位の高い制御元からの制御指令を優先的に駆動指令として選択するための優先順位を決定するための制御元情報を出力する制御元情報出力部と、前記制御元情報に基づいて対応する少なくとも１つの光学部材の駆動を制御する指令を決定する指令決定手段と、を有し、マスター駆動状態に設定された前記光学要素を駆動する場合は、前記通信手段は、前記他のレンズ装置の対応する少なくとも１つの光学要素に対して制御指令を出力し、スレーブ駆動状態においては、制御元情報出力部はマスター駆動状態における制御元情報とは異なる制御元情報を出力し、マスター駆動状態に設定された前記他のレンズ装置から出力された駆動操作指令は、前記制御元情報の中で最も高い優先度を有する、ことを特徴とする。
【手続補正３】
【補正対象書類名】明細書
【補正対象項目名】００６３
【補正方法】変更
【補正の内容】
【００６３】
次に、図１０を用いて、本実施例での効果を説明する。
位置Ｐは、ズームにおいてマスターに設定されているレンズ装置のズームレンズ３００２の位置であり、マスターに設定されているレンズ装置は、他のレンズ装置に、ズームレンズが位置Ｐへ駆動するように操作指令を出力する。図１０中、Ｓ１１、Ｓ１２はそれぞれ、ズームがマスターに設定されているレンズ装置のズームレンズの広角側・望遠側の端である広角端・望遠端を示す。Ｓ２１、Ｓ２２も同様に、それぞれ、ズームがスレーブのレンズ装置におけるズームレンズの広角端、望遠端を示す。Ｔ１１、Ｔ１２はそれぞれ、ズームがマスターのレンズ装置に設定されている、広角側、望遠側のトラッキング端である。ズームレンズ３００２は、トラッキング機能が有効となっているとき、Ｔ１１よりも広角側、Ｔ１２よりも望遠側には駆動できない。Ｔ２１、Ｔ２２も同様に、ズームがスレーブのレンズ装置に設定されている、広角側、望遠側のトラッキング端である。
【手続補正４】
【補正対象書類名】明細書
【補正対象項目名】００６５
【補正方法】変更
【補正の内容】
【００６５】
図１０（Ｂ）では、従来技術のように、トラッキング端が設定されて有効となっているので、ズームにおいてスレーブに設定されているレンズ装置のズームレンズ３００２をＴ２１よりも広角側に駆動することができない。よって、位置Ｐまで駆動できず、トラッキング端Ｔ２１の位置で停止する。そこで、図１０（Ｃ）で示すように、スレーブと判断した場合、トラッキング機能を無効にすることで、ズームレンズ３００２を位置Ｐまで駆動することができる。
以上により、マスター・スレーブの同期駆動を行うことができる。
【手続補正５】
【補正対象書類名】特許請求の範囲
【補正対象項目名】全文
【補正方法】変更
【補正の内容】
【特許請求の範囲】
【請求項１】
複数のレンズ装置を含むレンズ装置システムであって、該複数のレンズ装置それぞれは、
前記複数のレンズ装置の中の別のレンズ装置を含む複数の制御元、からの制御指令に従って駆動可能な少なくとも１つの光学部材と、
前記他のレンズ装置と通信する通信手段と、
前記複数のレンズ装置の前記少なくとも１つの光学部材それぞれを、マスター駆動状態又はスレーブ駆動状態に設定する、駆動状態設定手段と、
前記複数のレンズ装置の前記少なくとも１つの光学部材それぞれに設定されている駆動状態を判別する駆動状態判別手段と、
前記複数のレンズ装置の前記少なくとも１つの光学部材それぞれの駆動状態ごとに、複数の制御元からの制御指令のうち優先順位の高い制御元からの制御指令を優先的に駆動指令として選択するための優先順位を決定するための制御元情報を出力する制御元情報出力部と、
前記制御元情報に基づいて対応する少なくとも１つの光学部材の駆動を制御する指令を決定する指令決定手段と、
を有し、
マスター駆動状態に設定された前記光学要素を駆動する場合は、前記通信手段は、前記他のレンズ装置の対応する少なくとも１つの光学要素に対して制御指令を出力し、
スレーブ駆動状態においては、制御元情報出力部はマスター駆動状態における制御元情報とは異なる制御元情報を出力し、マスター駆動状態に設定された前記他のレンズ装置から出力された駆動操作指令は、前記制御元情報の中で最も高い優先度を有する、
ことを特徴とするレンズ装置システム。
【請求項２】
前記制御元情報出力部は、前記スレーブ駆動状態である場合、前記制御元情報の中で、他のレンズ装置からの制御指令以外を無効とする、ことを特徴とする請求項１に記載のレンズ装置システム。
【請求項３】
前記制御元情報出力部は、前記スレーブ駆動状態である場合、前記制御元情報の中で、前記複数のレンズ装置の前記少なくとも１つの光学部材の特定の制御元からの制御指令を無効とする、ことを特徴とする請求項１に記載のレンズ装置システム。
【請求項４】
前記レンズ装置は、前記複数の制御元のうち一つ以上の制御元に関する設定情報を変更する設定変更手段を有し、
前記スレーブ駆動状態である場合は、無効にした制御元に関して、前記設定変更手段による設定情報の変更を許可しない、
ことを特徴とする、請求項２または３に記載のレンズ装置システム。
【請求項５】
複数のレンズ装置を含むレンズ装置システムであって、該複数のレンズ装置それぞれは、
前記複数のレンズ装置の中の別のレンズ装置を含む複数の制御元、からの制御指令に従って駆動可能な少なくとも１つの光学部材と、
前記複数のレンズ装置の中の他のレンズ装置の対応する少なくとも１つの光学部材を駆動するための制御指令を前記他のレンズ装置に出力するマスター駆動状態、または、マスター駆動状態の前記他のレンズ装置からの制御指令に基づき、前記複数のレンズ装置の中の前記少なくとも１つの光学部材を駆動するスレーブ駆動状態、を判別する駆動状態判別手段と、
スレーブ駆動状態であるときに、特定の制御元の機能を無効にする手段と、
を有することを特徴とするレンズ装置システム。
【請求項６】
前記特定の制御元の機能は、ショット機能、プリセット機能、画角補正機能、自動焦点調整機能、防振機能、アイリス補正機能、クローズ検出機能、レンズ装置に実装されている操作機構、レンズ装置の外部からレンズ装置内の光学部材を操作するコントローラ、のうち何れか１つ以上であることを特徴とする、請求項５に記載のレンズ装置システム。
【請求項７】
前記レンズ装置は、特定の制御元ついての設定情報を変更する設定変更手段を有し、
前記スレーブ駆動状態であるときは、無効にした制御元に関して、該設定変更手段による設定情報の変更を許可しない、
ことを特徴とする、請求項５または６に記載のレンズ装置システム。
【請求項８】
複数のレンズ装置を含むレンズ装置システムであって、該複数のレンズ装置それぞれは、
前記複数のレンズ装置の中の別のレンズ装置を含む複数の制御元、からの制御指令に従って駆動可能な少なくとも１つの光学部材であって、該光学部材の駆動を制限する機能を有する光学部材と、
前記複数のレンズ装置の中の他のレンズ装置の対応する少なくとも１つの光学部材を駆動するための制御指令を前記他のレンズ装置に出力するマスター駆動状態、または、マスター駆動状態の前記他のレンズ装置からの制御指令に基づき、前記複数のレンズ装置の中の前記少なくとも１つの光学部材を駆動するスレーブ駆動状態、を判別する駆動状態判別手段と、
スレーブ駆動状態であるときに、前記複数のレンズ装置の前記少なくとも１つの光学部材の駆動を制限する機能を無効にする手段と、
を有することを特徴とするレンズ装置システム。
【請求項９】
前記複数のレンズ装置の前記少なくとも１つの光学部材の駆動を制限する機能は、駆動範囲を制限する機能、駆動速度を制限する機能、または、駆動のゲインを制限する機能である、ことを特徴とする請求項８に記載のレンズ装置システム。
【請求項１０】
前記レンズ装置は、前記駆動を制限する手段についての設定情報を変更する設定変更手段を有し、
前記スレーブ駆動状態であるときは、該設定変更手段による前記設定情報の変更を許可しない、
ことを特徴とする請求項８または９に記載のレンズ装置システム。
【請求項１１】
前記少なくとも１つの光学部材は、画角を変更するズームレンズ、フォーカスを調節するフォーカスレンズ、防振機構、アイリス、光路に対して挿脱するエクステンダーレンズ、マクロレンズ、である、ことを特徴とする請求項１乃至１０の何れか１項に記載のレンズ装置システム。
【請求項１２】
請求項１乃至１１のいずれか１項に記載のレンズ装置システムを含む撮像システム。
【手続補正６】
【補正対象書類名】図面
【補正対象項目名】図１０
【補正方法】変更
【補正の内容】
【図１０】
2012213039.tif 000001